(57)【要約】【課題】  本発明はペット用足裏保護材に関し、特に使用時において、剥離紙から剥がした個々の円形平面細片をペット肢体の足裏に貼着可能とし、使用後は容易に剥離して廃棄することのできるペット用足裏保護材に関する。【解決手段】  一面に粘着剤を施したスポンジシート材の円形平面細片からなる保護材を離型紙上に配列させて貼着し、または円形平面細片状の切込線が施されたスポンジシート材を離型紙上に積層貼着し、使用時において剥離紙から剥がした個々の円形平面細片をペット肢体の足裏に貼着することを特徴とし、スポンジシート材は肉球に粘着しやすい柔軟性と弾力性があり、スポンジシート材の細片からなる保護材の一面に施される粘着剤が弱粘着性であることを特徴とし、且つ、スポンジ状シート材の材質が耐水性、耐薬品性であり、畜光材または蛍光材で形成されていることを特徴とするペット用足裏保護材を提供する。【選択図】図１
2014090715.tif 000002
【特許請求の範囲】
【請求項１】
一面に粘着剤を施したスポンジシート材の円形平面細片からなる保護材を離型紙上に配列させて貼着し、または円形平面細片状の切込線が施されたスポンジシート材を離型紙上に積層貼着し、使用時において剥離紙から剥がした個々の円形平面細片をペット肢体の足裏に貼着することを特徴とするペット用足裏保護材。
【請求項２】
スポンジシート材は独立気泡からなるスポンジであって、肉球に粘着しやすい柔軟性と弾力性があり、スポンジシート材の円形平面細片からなる保護材の一面に施される粘着剤が弱粘着性であることを特徴とする請求項１記載のペット用足裏保護材。
【請求項３】
スポンジ状シート材の材質が耐水性、耐薬品性であり、畜光材又は蛍光材で形成されていることを特徴とする請求項１記載のペット用足裏保護材。
【発明の詳細な説明】
【技術分野】
【０００１】  本発明はペット用足裏保護材に関し、特に使用時において、剥離紙から剥がした個々の細片をペット肢体の足裏に貼着可能とし、使用後は容易に剥離して廃棄することのできるペット用足裏保護材に関する。
【背景技術】
【０００２】  従来からペットの足を保護するためにペット用靴等が開発されているが、実際の使用時においては、ペットが嫌がってしまうので使用できないことが生じていた。
そしてペットの足にフィットさせるように形成したペット用靴を履かせるなどの対策が講じられている。（例えば、特許文献１参照）【０００３】  また、ペットの足裏形状に対応させたシート本体に切込をいれ、切り起こしてペットの肉球を包み込むようにした保護シートが提案されている。（例えば、特許文献２参照）【０００４】
【特許文献１】  特開平１１−３２６１５号公報
【特許文献２】  特開２００７−３１２７５４号公報
【発明の開示】
【発明が解決しようとする課題】
【０００５】  ところで、前記した特許文献１の特開平１１−３２６１５号公報の明細書中ではペットの足に完全にフィットする図面が描かれているが、実際に使用してみると犬が嫌がって咬み切ったりすることが多かった。【０００６】  前記した特許文献２の特開２００７−３１２７５４号公報ではペットの足裏形状に合わせた方向に保護シートを貼り、更に切込みから切り起こしてペットの足裏の肉球を包み込むようにしなければならなかった。【０００７】  この形状ではペットの爪まで覆ってしまうので、爪が覆われることをペットは本能的に嫌うので作業もしづらい。【０００８】  また、例えば犬の足裏の急所である肉球と肉球の間の毛に保護シートが貼りついてしまうと、剥がす時に犬が痛がって嫌がることがある。【０００９】  このようなに作業性が悪いばかりでなく、作業中にペットが嫌がってしまうことがあったので、ペットが嫌がらずに使用してペットの足裏を保護することのできるペット足裏保護材の開発が必要とされている。
【課題を解決するための手段】
【００１０】  一面に粘着剤を施したスポンジシート材の円形平面細片からなる保護材を離型紙上に配列させて貼着し、または円形平面細片状の切込線が施されたスポンジシート材を離型紙上に積層貼着し、使用時において剥離紙から剥がした個々の円形平面細片をペット肢体の足裏に貼着することを特徴とし、スポンジシート材は肉球に粘着しやすい柔軟性と弾力性があり、スポンジシート材の円形平面細片からなる保護材の一面に施される粘着剤が弱粘着性であることを特徴とし、且つ、スポンジ状シート材の材質が耐水性、耐薬品性であり、畜光材又は蛍光材で形成されていることを特徴とするペット用足裏保護材を提供する。
【発明の効果】
【００１１】  本発明のペット用足裏保護材によれば、特に使用時において、剥離紙から剥がした個々の円形平面細片をペット肢体の足裏に容易に貼着することができ、使用後は容易に剥離して廃棄することのできるので使用し易く衛生的なペット用足裏保護材である。【００１２】  また、スポンジシート材が肉球に粘着しやすい柔軟性と弾力性があり、使用後も剥がし易い弱粘着性の粘着剤が使用されている使用勝手の良いペット用足裏保護材である。【００１３】  また、スポンジ状シート材の材質は耐水性、耐薬品性であり、畜光材又は蛍光材で形成されているので、ペットの足裏を保護すると共に、ペットの飼い主がペットを目立つようにおしゃれにすることで満足感を得ることができる等の効果がある。【００１４】  また、夜間における散歩中に、ペットの手綱を離すような場合に、行動中のペットを容易に視認することができる。
【発明を実施するための形態】
【００１５】  図１に示すように、一面に粘着剤３を施したスポンジシート材の円形平面細片２からなる保護材が離型紙１上に配列させて貼着されており、または図３に示すように円形平面細片状の切込線４が施されたスポンジシート材２０を離型紙１上に積層貼着し、使用時において剥離紙１から剥がした個々の円形平面細片２をペット肢体５の足裏の肉球５１に貼着することができる。
【００１６】  しかしながら、図５乃至図６に示すように、保護材は爪５２を除いて貼着される。
なぜならば、本来、犬の爪は獲物を追跡して草原や山の中などの足場の悪い場所を長距離走る場合、爪でしっかりと地面をとらえる必要があり、特に岩場や雨上がりの草原などの足場の悪い場所では、爪がスパイクのような役目をするため、本能的に爪を覆うことを嫌がるからである。
【００１７】  スポンジシート材２０及び円形平面細片２は、肉球５１に粘着しやすい柔軟性と弾力性があり、スポンジシート材２０の円形平面細片２からなる保護材の一面に施される粘着剤３は弱粘着性であり、離型紙１より容易に剥がして図５に示すように、ペット肢体５の足裏に容易に貼着することができる。
【００１８】  使用済みの円形平面細片２は、ペット肢体５の足裏から容易に剥がすことができ、廃棄することができる。
【００１９】  また、スポンジシート材の材質は発泡ポリエチレン等のプラスチックスポンジであり、耐水性であり水分を吸収するものではないので、使用中に膨潤してペットの歩行に支障をきたすものではなく、耐薬品性であるので衛生的である。
【００２０】  また、アスファルト等の路面が高温となっている場合や、ガラスの破片その他の危険物が散乱する路面６でのペットの足裏を保護することができる。
【００２１】  更に本発明のペット足裏保護材は、畜光材又は蛍光材で形成されているので、ペットの足裏を保護すると共に、ペットの飼い主がペットを夜間に散歩させて手綱を離した時にも走り回るペットを容易に視認することができる。
【実施例１】
【００２２】  ペットの飼い主である本発明者らは、飼っているペット（犬）の足裏に本発明のペット用足裏保護材を爪を覆わないように貼着して散歩や草むらでの走りを自由にさせたが、ペットは嫌がることもなく、走り回ることができた。
【図面の簡単な説明】
【００２３】
【図１】  離型紙にスポンジシート材からなる円形平面細片を配列した斜視図である。
【図２】  図１の部分拡大断面図である。
【図３】  円形平面細片状の切込線を施したスポンジシート材を離型紙に積層した斜視図である。
【図４】  図３の部分拡大断面図である。
【図５】  ペットの足裏に足裏保護材を貼着した平面図である。
【図６】  ペットの肢体の足裏に足裏保護材を貼着した側面図である。
【符号の説明】
【００２４】  １  剥離紙
２  円形平面細片
３  粘着剤
４  切込線
５  ペット肢体
２０  スポンジシート材
５１  肉球
５２  爪
６  路面
【図１】
2014090715.tif 000003
【図２】
2014090715.tif 000004
【図３】
2014090715.tif 000005
【図４】
2014090715.tif 000006
【図５】
2014090715.tif 000007
【図６】
2014090715.tif 000008